(57)【要約】【課題】携帯電話機において、電池パックが天地逆に電池挿入部に嵌り込んでしまうことを防止する。【解決手段】電池パック２の端部に爪部２１が設けられ、爪部２１の内部には溝２２が形成され、携帯電話機本体１における電池挿入部１４の壁において電池パック２が電池挿入部１４に装着されたときに爪部２１に対向する位置に溝部１１が設けられている。電池挿入部１４における溝部１１において電池パック２の爪部２１における溝２２に対応する位置にリブ１２が設けられている。電池パック２の爪部２１の高さは、天地逆に電池パック２を電池挿入部１４に挿入しようとする場合に、電池パック２における爪部２１が電池挿入部１４におけるリブ１２に当接したときに電池パック２が電池挿入部１４に嵌り込まないような高さに設定される。【選択図】  図１
2005011555.tif 000002
【特許請求の範囲】
【請求項１】
携帯電話機本体に設けられた凹状の電池挿入部に電池パックを装着する際の逆入れを防止する携帯電話機の電池逆入れ防止構造であって、
前記電池パックの端部に突出部が設けられ、突出部の内部には切欠部が形成され、
前記携帯電話機本体における前記電池挿入部の壁の、前記電池パックが前記電池挿入部に装着されたときに前記突出部に対向する位置に溝部が設けられ、
前記電池挿入部における溝部の、前記電池パックの突出部における切欠部に対応する位置に、リブが設けられている
ことを特徴とする携帯電話機の電池逆入れ防止構造。
【請求項２】
リブには、電池パックの突出部における切欠部の上部の部分である係合部を誘導するための傾斜部が設けられている
請求項１記載の携帯電話機の電池逆入れ防止構造。
【請求項３】
電池パックの突出部の高さは、天地逆に電池パックを電池挿入部に挿入する場合に、前記電池パックにおける係合部が電池挿入部におけるリブに当接したときに前記電池パックが前記電池挿入部に嵌り込まないような高さに設定されている
請求項２記載の携帯電話機の電池逆入れ防止構造。
【請求項４】
携帯電話機本体と、携帯電話機本体に内蔵される電池パックとを含む携帯電話機において、
前記電池パックの端部に突出部が設けられ、突出部の内部には切欠部が形成され、
前記携帯電話機本体における前記電池挿入部の壁の、前記電池パックが前記電池挿入部に装着されたときに前記突出部に対向する位置に溝部が設けられ、
前記電池挿入部における溝部の、前記電池パックの突出部における切欠部に対応する位置に、リブが設けられている
ことを特徴とする携帯電話機。
【請求項５】
リブには、電池パックの突出部における切欠部の上部の部分である係合部を誘導するための傾斜部が設けられている
請求項４記載の携帯電話機。
【請求項６】
電池パックの突出部の高さは、天地逆に電池パックを電池挿入部に挿入する場合に、前記電池パックにおける係合部が電池挿入部におけるリブに当接したときに前記電池パックが前記電池挿入部に嵌り込まないような高さに設定されている
請求項５記載の携帯電話機。
【請求項７】
電池パックにおける突出部が設けられている面の、電池パックの長手方向の中心線に対して対称な位置に端子が設けられ、
電池挿入部における溝部が設けられている面の、電池挿入部の長手方向の中心線に対して対称な位置に充電端子が設けられている。
請求項４から請求項５のうちのいずれか１項に記載の携帯電話機。
【発明の詳細な説明】
【０００１】
【発明の属する技術分野】
本発明は、電池パックを内蔵する携帯電話機に関し、特に、ユーザが電池パックを装着する際に表裏逆に電池パックを装着することを防止する携帯電話機の電池逆入れ防止構造に関する。
【０００２】
【従来の技術】
電池パックを内蔵する携帯電話機の構造が、例えば、特許文献１に記載されている。一般に、携帯電話機の本体（携帯電話機本体）に内蔵される電池パックの形状は、扁平な直方体である。そして、直方体における最も広い２つの平面のうちの一面が、携帯電話機において凹状に形成されている電池挿入部の底面に接するように、電池パックが電池挿入部に装着される。
【０００３】
図６は、一般的な携帯電話機の電池パックの装着構造の他の例を示す断面図である。図６に示す構造では、直方体形状の電池パック２における一端面（最も広い平面に直交する平面であって、横幅の狭い方の２面のうちの一つ）に、凸状部分である爪部２１が設けられ、携帯電話機本体１側に設けられている溝部１１に嵌り合う構造である。なお、図６には、正規の挿入方法に対して、天地逆に電池パック２が電池挿入部１４に挿入されている状態が示されている。天地逆とは、直方体における最も広い２つの平面のうち本来電池挿入部１４の底面に接するべき面が、上側（天面）に位置している状態のことである。また、図６に示されている電池パック２に設けられている爪部２１の内部には溝２２が形成され、図６には、溝２２を切るように切断された断面が示されている。
【０００４】
爪部２１が携帯電話機本体１側に設けられている溝部１１に嵌り込む構造になっている場合には、ユーザが、天地逆に電池パック２が電池挿入部１４に挿入しようとしたときでも、電池パック２における爪部２１が設けられている面と逆の面（以下、後面ともいう。）が、図６においてＢで示す箇所で止まらず、後面が電池挿入部１４における凹部端面に嵌り込んでしまうことがある。
【０００５】
【特許文献１】
特開２００３−７８５９８号公報（図１，図２）
【０００６】
【発明が解決しようとする課題】
天地逆にして電池パック２を電池挿入部１４に嵌め込んでしまった場合に、ユーザが、嵌り込んだ状態から電池パック２を抜こうとしても抜けなくなってしまうことがある。さらに、電池パック２および電池挿入部１４において電気的な接続のための端子の位置によっては、天地逆にして電池パック２を電池挿入部１４に嵌め込んでしまうと端子間の短絡が生じてしまう。
【０００７】
そこで、本発明は、電池パックに設けられている爪部が電池挿入部に設けられている溝部に嵌り合う構造の携帯電話機の電池パックの装着構造において、電池パックが天地逆に電池挿入部に嵌り込んでしまうことを防止する携帯電話機の電池逆入れ防止構造および携帯電話機を提供することを目的とする。
【０００８】
【課題を解決するための手段】
本発明による携帯電話機の電池逆入れ防止構造および携帯電話機は、電池パックの端部に突出部が設けられ、突出部の内部には切欠部が形成され、携帯電話機本体における電池挿入部の壁において電池パックが電池挿入部に装着されたときに突出部に対向する位置に溝部が設けられ、電池挿入部における溝部において電池パックの突出部における切欠部に対応する位置にリブが設けられていることを特徴とする。
【０００９】
リブには、電池パックの突出部における切欠部の上部の部分である係合部を誘導するための傾斜部が設けられていることが好ましい。
【００１０】
電池パックの突出部の高さを、天地逆に電池パックを電池挿入部に挿入する場合に、電池パックにおける係合部が電池挿入部におけるリブに当接したときに電池パックが電池挿入部に嵌り込まないような高さに設定することによって、天地逆に電池パックを電池挿入部に挿入しようとしても、電池パックが電池挿入部に嵌り込むことはない。
【００１１】
携帯電話機において、電池パックにおける突出部が設けられている面において電池パックの長手方向の中心線に対して対称な位置に端子が設けられ、電池挿入部における溝部が設けられている面において電池挿入部の長手方向の中心線に対して対称な位置に充電端子が設けられている場合に、上記の構成によれば、天地逆に電池パックを電池挿入部に挿入しようとしても、端子間の短絡が生じないようにすることができる。
【００１２】
【発明の実施の形態】
以下、本発明の実施の形態を図面を参照して説明する。図１は、本発明による電池逆入れ防止構造が用いられた折り畳み式の携帯電話機の本体（携帯電話機本体）１と電池パック２とを示す斜視図である。図２は、電池パック２が携帯電話機本体１に装着された状態を示す部分断面図である。なお、携帯電話機本体１とは、携帯電話機における電池パック２以外の部分である。
【００１３】
図１に示す構造において、直方体形状の電池パック２における一端面（最も広い平面に直交する平面であって、横幅の狭い方の２面のうちの一つ）における左右の端部に近い位置に、凸状部分である爪部（突出部）２１が設けられている。また、携帯電話機本体１には、電池パック２を収納するための凹状の電池挿入部１４が設けられている。凹状の電池挿入部１４の壁の部分において、電池パック２が電池挿入部１４に収納されたときに爪部２１と対向する位置に、溝部１１が設けられている。電池パック２が電池挿入部１４に収納されたときには、爪部２１は溝部１１に嵌り込む構造である。
【００１４】
電池パック２に設けられている爪部２１の内部には溝（切欠部）２２が形成され、図２には、溝２２を切るように切断された断面が示されている。溝２２は、爪部２１の内部を切り欠いたように形成されている。また、図１および図２に示すように、携帯電話機本体１における溝部１１の中央には、リブ（逆入れ防止リブ）１２が設けられている。リブ１２は、下部から立ち上がり、中程に平坦部が設けられ、平坦部の上部が斜面（傾斜部）１３になっているような形状である。
【００１５】
図１および図２に示すように、爪部２１の側面Ｃの形状は、上部Ｃ１が広く、下部Ｃ２に向かって窄まっていくような形状である。従って、側面Ｃと直交する面Ｃ３は、直方体形状の電池パック２における端面（最も広い平面に直交する平面であって横幅の狭い方の面であって、爪部２１が形成されている面）に対して斜めになっている。爪部２１の側面Ｃの形状は、溝部１１の側面Ｄの形状とほぼ相似し、側面Ｃは側面Ｄよりもやや小さい。
【００１６】
図３は、電池パック２が携帯電話機本体１に装着される様子を示す部分断面図である。ユーザ等は、電池パック２を携帯電話機本体１に装着する場合に、電池パック２を、電池パック２における爪部２１の位置と携帯電話機本体１における溝部１１の位置とを合わせるようにして、携帯電話機本体１の電池挿入部１４に対して斜めに電池パック２を挿入し、爪部２１を溝部１１に係り止めする。さらに、電池パック２が後面から押されると、電池パック２の上部Ｅ（図３参照）と電池挿入部１４の壁の上部Ｆとが突き当たり、突き当たっている点を支点として、電池パック２は、図３において矢印Ａで示すような回転運動を行う。
【００１７】
このとき、リブ１２の斜面１３がガイドの役割を果たし、爪部２１におけるリブ１２と接する部分Ｃ４（図１参照）が斜面１３に沿って滑らかに上っていき、結局、電池パック２の爪部２１が滑らかに携帯電話機本体１における溝部１１に嵌り込む。なお、爪部２１における溝２２の上部の部分（Ｃ４よりも上の部分）は、リブ１２の斜面１３によって誘導される係合部の役割を果たす。
【００１８】
図４は、電池パック２が天地逆に携帯電話機本体１に装着される様子を示す部分断面図である。図４に示すように、ユーザ等が、天地逆に電池パック２を携帯電話機本体１に装着しようとすると、爪部２１における切り欠かれていない部分（係合：図１に示すＣ４よりも上の部分）がリブ１２に当たる。爪部２１の幅（電池パック２を形成する直方体から突出した部分の高さ）は、図４に示すように、天地逆に電池パック２を携帯電話機本体１の電池挿入部１４に挿入しようとしたときに、電池パック２が電池挿入部１４の壁（溝部１１が設けられている壁とは反対側の壁）から電池挿入部１４に落ち込むことを阻止できるような長さである。すなわち、電池パック２の爪部２１の高さは、天地逆に電池パック２を電池挿入部１４に挿入する場合に、爪部２１における係合部が電池挿入部１４におけるリブ１２に当接したときに電池パック２が電池挿入部１４に嵌り込まないような高さに設定されている
【００１９】
よって、爪部２１がリブ１２に当たることによって、電池パック２の長手方向の長さが電池挿入部１４の長手方向の長さよりも相対的に長くなるので、電池パック２と電池挿入部１４とは図４に示すＢ点で干渉し、電池パック２は、電池挿入部１４に嵌り込まず、浮いた状態になる。なお、相対的に長くなるというのは、電池パック２の直方体部分の長手方向の長さと爪部２１の幅との和を、電池挿入部１４の長手方向の長さと比較した場合のことである。
【００２０】
以上に説明したように、この実施の形態では、天地逆にして電池パック２を携帯電話機本体１に装着しようとしても、爪部２１が逆入れ防止リブに当たって、電池パック２は電池挿入部１４に嵌り込まない。また、天地逆にせず、すなわち正規の向きで電池パック２を携帯電話機本体１に装着する場合には、爪部２１の溝がリブ１２の斜面１３を滑り上がっていくように作用するので、電池パック２は、円滑に電池挿入部１４に装着される。
【００２１】
次に、図５を参照して他の実施の形態を説明する。図５に示す携帯電話機において、図１に示された構造と同様に、電池パック２における一端面（最も広い平面に直交する平面であって、横幅の狭い方の２面のうちの一つ）における左右の端部に近い位置に凸状部分である爪部が設けられている。また、携帯電話機本体１において、凹状の電池挿入部１４の壁には、電池パック２が電池挿入部１４に収納されたときに爪部と対向する位置に溝部が設けられている。さらに、図１に示された構造と同様に、電池パック２の爪部には溝（図示せず）が設けられ、電池挿入部１４の溝部には逆入れ防止リブ（図示せず）が設けられている。
【００２２】
図５に示すように、電池パック２における爪部が設けられている面には、携帯電話機本体１との電気的な接続のための凹状の端子２３が設けられている。また、電池挿入部１４における溝部が設けられている面には、凸状の充電端子１５が設けられている。充電端子１５は、電池パック２が電池挿入部１４に収納されたときに電池パック２における端子２３と対向する位置に設けられている。また、充電端子１５は、電池挿入部１４の長手方向の中心線Ｓに対して対称な位置に設けられ、電池パック２における端子２３は、電池パック２の長手方向の中心線Ｓに対して対称な位置に設けられている。
【００２３】
図５（ａ）には、電池パック２が正しく携帯電話機本体１に装着される状態が示され、図５（ｂ）には、天地逆に電池パック２が携帯電話機本体１に装着される状態が示されている。図５（ｂ）に示す状態において電池パック２が携帯電話機本体１に装着されると、端子間の短絡が生じてしまう。しかし、天地逆にして電池パック２を携帯電話機本体１に装着しようとしても、電池パック２の爪部が逆入れ防止リブに当たって、電池パック２は電池挿入部１４に嵌り込まない。従って、端子間の短絡は生じない。
【００２４】
【発明の効果】
以上のように、本発明によれば、携帯電話機本体における電池挿入部の壁において電池パックが電池挿入部に装着されたときに突出部に対向する位置に溝部が設けられ、電池挿入部における溝部において電池パックの突出部における切欠部に対応する位置にリブが設けられているので、天地逆にして電池パックを携帯電話機本体に装着しようとしても、電池パックが電池挿入部に嵌り込まないようにすることができる。また、正規の向きで電池パックを携帯電話機本体に装着する場合に、電池パックを円滑に電池挿入部に装着することができる。
【図面の簡単な説明】
【図１】本発明による電池逆入れ防止構造が用いられた折り畳み式の携帯電話機を示す斜視図である。
【図２】電池パックが携帯電話機本体に装着された状態を示す部分断面図である。
【図３】電池パックが携帯電話機本体に装着される様子を示す部分断面図である。
【図４】電池パックが天地逆に携帯電話機本体に装着される様子を示す部分断面図である。
【図５】携帯電話機の他の実施の形態を示す正面図である。
【図６】一般的な携帯電話機の電池パックの装着構造を示す断面図である。
【符号の説明】
１    携帯電話機本体
２    電池パック
１１  溝部
１２  リブ
１３  斜面
２１  爪部
２２  溝
【図１】
2005011555.tif 000003
【図２】
2005011555.tif 000004
【図３】
2005011555.tif 000005
【図４】
2005011555.tif 000006
【図５】
2005011555.tif 000007
【図６】
2005011555.tif 000008